(57)【特許請求の範囲】
【請求項１】
先端部にソケットが係脱可能に接続されるプラグが形成された本体と、この本体に回動可能に設けられた係合解除部材とを備え、この係合解除部材を取外方向へ回動させてその一端部を上記プラグに接続された上記ソケットの先端面に突き当て、当該先端面を上記プラグの先端側へ所定の距離だけ押圧移動させることにより、上記プラグに対する上記ソケットの係合を解除するように構成されたガスコンセントにおいて、上記本体と上記係合解除部材との少なくとも一方に、上記係合解除部材が上記取外方向へ上記ソケットの上記プラグに対する係合を解除することができる位置、またはその位置より若干前方の位置まで回動したときに他方に突き当たることにより、それ以上上記係合解除部材が取外方向へ回動するのを阻止するストッパ部を設けたことを特徴とするガスコンセント。
【発明の詳細な説明】
【０００１】
【発明の属する技術分野】
この発明は、ガス器具に連結されたソケットが係脱可能に接続されるガスコンセントに関する。
【０００２】
【従来の技術】
従来のこの種のガスコンセントとしては、例えば実開平３−９６４７５号公報に記載のものがある。この公報に記載のガスコンセントは、図６に示すように、先端部にプラグ１ａが形成された本体１と、この本体１の基端側の一側部に軸２を介して回動自在に設けられた係合解除部材３とを備えており、係合解除部材３はコイルばね等の付勢手段（図示せず）により、図６において時計方向へ回動付勢され、通常は図６（Ａ）に示す取付位置に位置させられている。
【０００３】
上記本体１に接続されるソケットＳは、本部Ｓ1と、この本体Ｓ1の先端部に前後方向へ移動可能に設けられた移動筒Ｓ2と有しており、プラグ１ａの外周にソケットＳを所定位置（図１（Ｃ）に示す位置）まで挿入すると、移動筒Ｓ2が本体Ｓ1から前方へ所定距離移動する（図１（Ｂ）参照）。この結果、ソケットＳがプラグ１ａに係合状態で接続される。
【０００４】
ソケットＳがプラグ１ａに係合した状態において、係合解除部材３を付勢手段に抗して反時計方向（取外方向）へ回動させると、その先端部がソケットＳの先端面（移動筒Ｓ2の先端面）に突き当たり、移動筒Ｓ2をプラグ１ａの先端側（図１において右側）へ移動させる。そして、係合解除部材が図６（Ｃ）に示す取外位置まで回動して、移動筒Ｓ2が所定距離移動すると、プラグ１ａとソケットＳとの係合が解除され、ソケットＳがプラグ１ａから取り外し可能になる。
【０００５】
上記付勢部材は、次の理由によって用いられている。すなわち、仮に付勢部材が用いられていないと、ソケットＳがプラグ１ａに接続されていないときには、図６（Ｄ）に示すように、係合解除部材３が取外位置を越えてさらに反時計方向へ回動してしまい、軸２の中心と係合解除部材３の先端部とを結ぶ線と、移動筒Ｓ2の先端面とのなす角θが例えば８０°程度に大きくなることがある。その状態で、ソケットＳをプラグ１ａに外挿して移動筒Ｓ2の先端面を係合解除部材３の先端部に突き当てると、係合解除部材３には時計方向への回動モーメントと、摩擦抵抗とが作用するが、回動モーメントは非常に小さいのに対し、摩擦抵抗は大きい。このため、係合解除部材３は時計方向へ回動することができなくなってしまう。この結果、ソケットＳをプラグ１ａに所定位置まで挿入することができなくなり、ソケットＳをプラグ１ａに接続することができなくなってしまう。このような事態が発生するのを未然に防止するために、付勢手段によって係合解除部材３を通常時には取付位置に位置させているのである。
【０００６】
【発明が解決しようとする課題】
しかし、付勢手段を用いると、その分だけ部品点数が増えるとともに、組み立て工数が増大する。この結果、ガスコンセントの製造費が嵩むという問題がある。そこで、この発明は、ソケットをプラグに接続することができなくなるような事態を未然に防止しつつ、ガスコンセントの製造費を低減することを課題としている。
【０００７】
【課題を解決するための手段】
上記の課題を達成するために、請求項１に係る発明は、先端部にソケットが係脱可能に接続されるプラグが形成された本体と、この本体に回動可能に設けられた係合解除部材とを備え、この係合解除部材を取外方向へ回動させてその一端部を上記プラグに接続された上記ソケットの先端面に突き当て、当該先端面を上記プラグの先端側へ所定の距離だけ押圧移動させることにより、上記プラグに対する上記ソケットの係合を解除するように構成されたガスコンセントにおいて、上記本体と上記係合解除部材との少なくとも一方に、上記係合解除部材が上記取外方向へ上記ソケットの上記プラグに対する係合を解除することができる位置、またはその位置より若干前方の位置まで回動したときに他方に突き当たることにより、それ以上上記係合解除部材が取外方向へ回動するのを阻止するストッパ部を設けたことを特徴としている。
【０００８】
【発明の実施の形態】
以下、この考案の一実施の形態について図１〜図５を参照して説明する。なお、この実施の形態は、この発明を壁埋め込みタイプのガスコンセント１０に適用したものであるが、他のガスコンセントにも適用可能である。
【０００９】
ガスコンセント１０は、図１〜図４に示すように、ボックス２０、コンセント本体（本体）３０および係合解除部材４０を有している。
ボックス２０は、前面部が開放した四角形の箱状をなすボックス本体２１を有している。このボックス本体２１の前面部開口部には、四角形の枠体２２が固定されている。この枠体２２には、ボックス本体２１および枠体２２をボックス２０の前方から見えないようにするための化粧蓋２３が着脱自在に取り付けられている。
【００１０】
化粧蓋２３の中央部には、四角形の貫通孔２３ａが形成されている。この貫通孔２３ａには、操作部材２４が挿入されている。この操作部材２４は、化粧蓋２３に回動可能に支持されており、通常は貫通孔２３ａを閉じている（以下、この状態のときの操作部材２４の位置を閉位置という。）が、操作部材２４の外面のうちの突条２４ａが形成された箇所をボックス本体２１の内部側へ押すと、ほぼ９０°回動して貫通孔２３ａを開き、外面が貫通孔２３ａの下側の側面にほぼ接した状態（図１（Ｂ）参照）になる（この状態のときの操作部材２４の位置を開位置という。）。しかも、図１（Ｃ）に示すように、操作部材２４は、開位置からボックス本体２１の内部側へ所定距離だけ直線移動することができるように、化粧蓋２３に移動可能に支持されている。
【００１１】
また、操作部材２４と化粧蓋２３との間にはばね（図示せず）が設けられている。このばねは、操作部材２４が閉位置に位置しているときには、操作部材２４を図１において反時計方向へ回動付勢し、化粧蓋２３の段差面２３ｂに突き当てて閉位置に維持する。操作部材２４が閉位置から開位置側へ若干（例えば、３０°程度）回動すると、開位置側へ付勢するようになり、開位置まで回動させる。操作部材２４が開位置に位置しているときには、操作部材２４をボックス本体２１の内部側から外部前方側へ向かって付勢している。したがって、操作部材２４を開位置からボックス本体２１の内部側へ押圧移動させた後、押圧力を解除すると、操作部材２４は開位置に戻される。
【００１２】
図２〜図４に示すように、ボックス本体２１の一側部と他側部とには、挟持部材２５，２５が配置されている。各挟持部材２５は、ボルト２６を介してボックス本体２１に連結されており、ボルト２６を正逆方向へ回動させることにより、枠体２２に接近離間移動するようになっている。そして、ボックス本体２１を壁板Ｗ（図４参照）に形成された貫通孔Ｗａに挿入した後、挟持部材２５，２５と枠体２２とによって壁部材Ｗを挟持することにより、ボックス２０が壁板Ｗに取り付けられている。
【００１３】
上記コンセント本体３０は、化粧蓋２３の貫通孔２３ａの延長上に配置されており、その基端部にはベース板部３１が形成されている。このベース板３１がボックス本体２１の底部にボルト３３によって固定されることにより、コンセント本体３０がボックス本体２１に着脱可能に取り付けられている。また、コンセント本体３０には、ボックス本体２１の底部に形成された挿通孔２１ａから挿通されるガス管（図示せず）が接続されるようになっている。
【００１４】
上記貫通孔２３ａと対向するコンセント本体３０の先端部には、プラグ３２が形成されている。このプラグ３２には、貫通孔２３ａに挿通されたソケットＳが係脱自在に接続される。ソケットＳは、主部Ｓ1および移動筒Ｓ2を有しており、従来のもの（例えば、前述した実開平３−９６４７５号公報に記載のもの）と同様にしてプラグ３２に接続され、また取り外される。したがって、プラグ３２とソケットＳとの間の係脱機構についてはその説明を省略する。
【００１５】
コンセント本体３０の中間部の一側部には、その径方向へ突出する突出部３４が形成されている。図５に示すように、突出部３４には、コンセント本体３０の軸線と直交する方向に延びる支持孔３４ａが形成されており、この貫通孔３４ａには支持軸３５が挿通されている。この支持軸３５を介して上記係合解除部材４０がコンセント本体３０に回動可能に支持されている。
【００１６】
すなわち、図３および図５に示すように、係合解除部材４０は、略Ｕ字状をなしており、その両側部には軸受部４１，４２がそれぞれ形成されている。この軸受部４１，４２の各貫通孔４１ａ，４２ａに支持軸３５の両端部がそれぞれ挿通され、支持軸３５の中間部が支持孔３４ａに挿通されることにより、係合解除部材４０がコンセント本体２１に回動可能に支持されている。
【００１７】
支持軸３５の一端部には頭部３５ａが形成され、他端部には環状突出部３５ｂが形成されている。頭部３５ａの外径は貫通孔４１ａより大きく、環状突出部３５ｂの外径は貫通孔４２ａより大きくなっている。そして、頭部３５ａが軸受部４１に突き当たる一方、環状突出部３５ｂが軸受部４２のに突き当たることにより、支持軸３５が貫通孔４１ａ，４１ｂおよび支持孔３４ａから抜け止めされている。ただし、環状突出部３５ｂの外径は、貫通孔４１ａおよび支持孔３４ａより小径になっており、支持軸３５の他端面に溝３５ｃが形成されることによって拡大縮径可能である。したがって、環状突出部３５ｂは、貫通孔４１ａおよび支持孔３４ａを通り抜けた後、貫通孔４２ａに挿通されるときに縮径して貫通孔４２ａを通り抜けることができ、そのようにして支持軸３５が貫通孔４１ａ，４２ａおよび支持孔３４ａに挿通されている。
【００１８】
係合解除部材４０の両側部の先端部は、図１（Ｂ）に示す取付位置（係合解除部材４０がプラグ３２の軸線とほぼ直交する姿勢のときの回動位置）から図１において時計方向（取外方向）へ若干回動したときに、プラグ３２に接続されたソケットＳの移動筒Ｓ2の先端面に突き当たるようになっている。したがって、係合解除部材４０を図１（Ｃ）に示す取外位置まで時計方向へ回動させると、移動筒Ｓ2がプラグ３２の先端側へ押圧移動され、プラグ３２とソケットＳとの係合が解除される。
【００１９】
一方、係合解除部材４０の後端部には、当接部４３が形成されている。この当接部４３は、係合解除部材４０が取付位置に位置しているとき、開位置に位置している操作部材２４をボックス本体２１の内部側へ若干移動させると、操作部材２４の段差面２４ｂに突き当たるように配置形成されている。したがって、操作部材２４を開位置からボックス本体２１の内部側へ押圧移動させると、係合解除部材４０が操作部材２４によって時計方向へ回動させられ、それによって移動筒Ｓ2がプラグ３２の先端側へ移動される。
【００２０】
また、係合解除部材４０の後端部には、当接部４３と逆側へ突出するストッパ部４４が形成されている。このストッパ部４４は、係合解除部材４０の時計方向（取外方向）への回動範囲を規制するためのものであり、係合解除部材４０が時計方向へ取外位置まで回動したとき、またはそれより若干前方の位置まで回動したときに突出部３４に突き当たるようになっている。したがって、係合解除部材４０は、時計方向へ回動する場合、取付位置またはこれより若干前方の位置までしか回動することができない。
【００２１】
なお、ストッパ部４３が突出部３４に突き当たったときには、支持軸３５の中心と移動筒Ｓ2に突き当たる係合解除部材４０の先端部とを結ぶ線と、移動筒Ｓ2の先端面とのなす角度θ（図６（Ｄ）参照）については、支持軸３５の中心から係合解除部材４０の先端部までの長さを適宜に選択することにより、４５°以下に設定するのが望ましい。そのような角度の設定すると、係合解除部材４０の単位当たりの回動量に対して、移動筒Ｓ2の先端面と直交する方向への係合解除部材４０の先端部の移動量と、移動筒Ｓ2の先端面に沿う方向への係合解除部材４０の先端部の移動量とが同一になるからである。
【００２２】
上記構成のガスコンセント１０において、ソケットＳをプラグ３２に接続する場合には、図１（Ｂ）に示すように、まず操作部材２４を閉位置から開位置まで回動させ、貫通孔２３ａを開く。次に、ソケットＳを貫通孔２３からケーシング２０内に挿入し、プラグ３２に所定位置まで外挿する。すると、ソケットＳがプラグ３２に係合状態で接続される。
【００２３】
接続されたソケットＳをプラグ３２から取り外す場合には、図１（Ｃ）に示すように、操作部材２４を開位置に回動させた後、ケーシング２０の内部側へ押し込み、係合解除部材４０を時計方向（取外方向）へ回動させる。係合解除部材４０が取外位置まで回動すると、ソケットＳとプラグ３２との係合が解除される。そこで、ソケットＳをプラグ３２から引き抜く。その後、操作部材２４を閉位置に戻す。
【００２４】
ここで、ガスコンセント１０においては、係合解除部材４０の取外方向への回動範囲がストッパ部４４によって規制されているから、従来のガスコンセントにおいて用いられていた付勢手段を省くことができる。しかも、係合解除部材４０が取外位置から取外方向へ大きく回動することがないから、ソケットＳの先端面（移動筒Ｓ2の先端面）が係合解除部材４０の先端部に突き当たったとき、係合解除部材４０が回動不能になり、それ以上ソケットＳをプラグ３２に挿入することができなくなる事態を確実に回避することができる。したがって、ソケットＳをプラグ３２に確実に接続することができる。
【００２５】
なお、この発明は上記の実施の形態に限定されるものでなく、適宜設計変更可能である。
例えば、上記の実施の形態においては、係合解除部材４０にストッパ部４４に設けているが、コンセント本体３０にストッパ部を設けてもよい。
【００２６】
【発明の効果】
以上説明したように、請求項１に係る発明によれば、係合解除部材が回動不能に陥ってソケットをプラグに接続することができなくなる事態を回避することができるのは勿論のこと、係合解除部材を取付位置側へ回動付勢する付勢手段を省くことができ、それによってガスコンセントの製造費を低減することができるという効果が得られる。
【図面の簡単な説明】
【図１】この発明の一実施の形態を、挟持部材を省略した状態で示す図２のＸ−Ｘ断面図であって、図１（Ａ）はプラグからソケットを取り外した状態を示し、図１（Ｂ）はプラグにソケットを接続した状態を示し、図１（Ｃ）はプラグとソケットとの係合を解除したときの状態を示している。
【図２】同実施の形態の正面図である。
【図３】同実施の形態の化粧蓋および枠体を省略した状態で示す正面図である。
【図４】図３のＹ−Ｙ断面図である。
【図５】図１（Ａ）のＺ−Ｚ拡大断面図である。
【図６】従来のガスコンセントの一例の主要部を示す図であって、図６（Ａ）はプラグからソケットを取り外した状態を示し、図６（Ｂ）はプラグにソケットを接続した状態を示し、図６（Ｃ）はプラグに対するソケットの係合を解除したときの状態を示し、図６（Ｄ）は係合解除部材回動不能に陥ったときの状態を示している。
【符号の説明】
Ｓ  ソケット
１０  ガスコンセント
３０  コンセント本体（本体）
３２  プラグ
４０  係合解除部材
４４  ストッパ部
【図１】
0004118382.tif 000002
【図２】
0004118382.tif 000003
【図３】
0004118382.tif 000004
【図４】
0004118382.tif 000005
【図５】
0004118382.tif 000006
【図６】
0004118382.tif 000007